(57)【要約】【課題】外部画像処理装置で生成した撮影画像に対する画像処理のパラメータ情報と撮像装置で撮影した画像とを適切に関連付けて記録することができる仕組みを提供する。【解決手段】撮影画像を外部画像処理装置に出力する出力ステップ（Ｓ６０１）と、外部画像処理装置で生成される撮影画像に対する画像処理のパラメータ情報の送信要求を外部画像処理装置に対して送信する送信ステップ（Ｓ６０３）と、外部画像処理装置からパラメータ情報を受信する受信ステップ（Ｓ６０５Ｙｅｓ）と、受信したパラメータ情報を撮影画像と関連付けて記録する記録ステップ（Ｓ６０６，Ｓ６０７）と、撮像装置における動作を検出する検出ステップと、検出ステップであらかじめ定めた前記動作を検出（Ｓ６０２）したときに、送信ステップ（Ｓ６０３）で外部画像処理装置に対してパラメータ情報の送信要求を送信する処理を実行する制御ステップと、備える。【選択図】図６
2014131189.tif 000002
【特許請求の範囲】
【請求項１】
被写体を撮像する撮像手段と、
前記撮像手段による撮影画像を外部画像処理装置に出力する出力手段と、
前記外部画像処理装置で生成される前記撮影画像に対する画像処理のパラメータ情報の送信要求を前記外部画像処理装置に対して送信する送信手段と、
前記外部画像処理装置から前記パラメータ情報を受信する受信手段と、
前記受信手段で受信した前記パラメータ情報を前記撮影画像と関連付けて記録する記録手段と、
撮像装置における動作を検出する動作検出手段と、
前記送信手段による前記パラメータ情報の送信要求の送信を制御する制御手段と、を備え、
前記制御手段は、前記動作検出手段があらかじめ定めた前記動作を検出したときに、前記外部画像処理装置に対して前記パラメータ情報の送信要求を送信するように前記送信手段を制御することを特徴とする撮像装置。
【請求項２】
前記出力手段から出力した前記撮影画像が前記外部画像処理装置に入力されているか否かを判定するための情報を前記外部画像処理装置から取得する取得手段と、
前記取得手段で取得した前記情報に基づいて前記撮影画像が前記外部画像処理装置に入力されているかを判定する判定手段と、を備え、
前記制御手段は、前記判定手段が前記外部画像処理装置に前記撮影画像が入力されていると判定したとき、前記外部画像処理装置に対して前記パラメータ情報の送信要求を送信するように前記送信手段を制御することを特徴とする請求項１に記載の撮像装置。
【請求項３】
前記パラメータ情報は、色、階調を調整するパラメータ情報であることを特徴とする請求項１又は２に記載の撮像装置。
【請求項４】
前記動作検出手段が検出する前記撮像装置における動作とは、前記撮影画像の記録もしくは再生に関する動作又は前記撮影画像の画角を決定する動作又は前記撮像手段に入射する光量を調整する動作であることを特徴とする請求項１乃至３のいずれか一項に記載の撮像装置。
【請求項５】
前記送信手段が前記外部画像処理装置に対して前記パラメータ情報の送信要求を送信した後に、前記受信手段で前記パラメータ情報を受信できなかったとき、ユーザに対して警告する警告手段を備えることを特徴とする請求項１乃至４のいずれか一項に記載の撮像装置。
【請求項６】
前記受信手段は、前記パラメータ情報の数値情報を受信することを特徴とする請求項１乃至５のいずれか一項に記載の撮像装置。
【請求項７】
前記記録手段は、前記受信手段で受信した前記パラメータ情報を前記撮影画像の付加情報として記録することを特徴とする請求項６に記載の撮像装置。
【請求項８】
前記送信手段は、前記外部画像処理装置に対して前記パラメータ情報を特定するＩＤ情報の送信要求を送信し、
前記受信手段は、前記外部画像処理装置から前記ＩＤ情報を受信することを特徴とする請求項１乃至５のいずれか一項に記載の撮像装置。
【請求項９】
前記記録手段は、前記受信手段が受信した前記ＩＤ情報から前記パラメータ情報を特定し、特定した前記パラメータ情報を前記撮影画像の付加情報として記録することを特徴とする請求項８に記載の撮像装置。
【請求項１０】
前回に撮影した撮影画像の撮影状態情報と今回の撮影画像の撮影状態情報との変化を検出する変化検出手段を備え、
前記記録手段は、前記変化検出手段が前記撮影状態情報の変化を検出しなかったとき、前記前回の撮影画像に関連付けられている前記パラメータ情報を今回の撮影画像の付加情報として記録することを特徴とする請求項１乃至７のいずれか一項に記載の撮像装置。
【請求項１１】
前記撮影状態情報とは、撮影した被写体の状態、又は撮像装置の動作の状態を含む情報であることを特徴とする請求項１０に記載の撮像装置。
【請求項１２】
撮影画像を外部画像処理装置に出力する出力ステップと、
前記外部画像処理装置で生成される前記撮影画像に対する画像処理のパラメータ情報の送信要求を前記外部画像処理装置に対して送信する送信ステップと、
前記外部画像処理装置から前記パラメータ情報を受信する受信ステップと、
前記受信ステップで受信した前記パラメータ情報を前記撮影画像と関連付けて記録する記録ステップと、
撮像装置における動作を検出する動作検出ステップと、
前記動作検出ステップであらかじめ定めた前記動作を検出したときに、前記送信ステップで前記外部画像処理装置に対して前記パラメータ情報の送信要求を送信する処理を実行する制御ステップと、を備えることを特徴とする撮像装置の制御方法。
【請求項１３】
撮影画像を外部画像処理装置に出力する出力ステップと、
前記外部画像処理装置で生成される前記撮影画像に対する画像処理のパラメータ情報の送信要求を前記外部画像処理装置に対して送信する送信ステップと、
前記外部画像処理装置から前記パラメータ情報を受信する受信ステップと、
前記受信ステップで受信した前記パラメータ情報を前記撮影画像と関連付けて記録する記録ステップと、
撮像装置における動作を検出する動作検出ステップと、
前記動作検出ステップであらかじめ定めた前記動作を検出したときに、前記送信ステップで前記外部画像処理装置に対して前記パラメータ情報の送信要求を送信する処理を実行する制御ステップと、をコンピュータに実行させることを特徴とするプログラム。
【発明の詳細な説明】
【技術分野】
【０００１】
本発明は、例えばデジタルカメラやデジタルビデオカメラ等の撮像装置、撮像装置の制御方法、及びプログラムに関する。
【背景技術】
【０００２】
デジタルシネマ等の制作現場では、カット編集とともに、デジタルビデオカメラ等の撮像装置で撮影した画像を所望の画像に補正するカラーグレーディング処理を施すことが一般的である。このカラーグレーディング処理は、撮影後に、編集スタジオ等でカラーグレーディング装置を用いて行われる。
【０００３】
一方、撮影現場において、撮影した画像に対して予め仮カラーグレーディング処理を施しておき、撮影後に、編集スタジオ等で微調整である本カラーグレーディング処理を施すことも行われている。このように、撮影現場で撮影した画像に対して仮カラーグレーディング処理を施しておくことで、最終的な仕上がりの印象を撮影時に把握することができるとともに、撮影後の本カラーグレーディング処理の負荷を減らすことができる。
【０００４】
ところで、仮カラーグレーディング処理を撮影時にデジタルカメラ等の撮像装置の内部で行う技術が提案されている（特許文献１）。しかし、撮像装置の内部で仮カラーグレーディング処理を行う場合、処理能力に限界があるため、大まかな処理しか行えず、撮影後の本カラーグレーディング処理の負荷を十分に軽減することができない。
【０００５】
このため、より細かな仮カラーグレーディング処理を行う必要がある場合は、撮像装置の外部の仮カラーグレーディング装置を用いて行うようにしている。この場合、デジタルビデオカメラ等の撮像装置は、ＨＤ−ＳＤＩケーブル等を通じて外部の仮カラーグレーディング装置に対して画像を出力する。仮カラーグレーディング装置は、撮像装置から出力された画像に対して仮カラーグレーディング処理を施し、仮カラーグレーディングのパラメータを記録しておく。
【０００６】
そして、本カラーグレーディング装置においては、撮影画像に対して記録しておいた仮カラーグレーディングのパラメータに基づく処理を施すことで、撮影時の仮カラーグレーディング結果を再現し、仮カラーグレーディング後の画像に対して微調整を行う。これにより、撮影後の本カラーグレーディング処理の負荷を軽減することができる。
【先行技術文献】
【特許文献】
【０００７】
【特許文献１】特開２００９−２１８２７号公報
【発明の概要】
【発明が解決しようとする課題】
【０００８】
しかし、撮像装置の外部の仮カラーグレーディング装置を用いて仮カラーグレーディング処理を行う場合、仮カラーグレーディングのパラメータは、撮影装置で撮影した画像とは別に記録される。そのため、本カラーグレーディング処理において、撮影画像と仮カラーグレーディングのパラメータとを適切に関連づけることが困難になる。
【０００９】
そこで、本発明は、外部画像処理装置で生成した撮影画像に対する画像処理のパラメータ情報と撮像装置で撮影した画像とを適切に関連付けて記録することができる仕組みを提供することを目的とする。
【課題を解決するための手段】
【００１０】
上記目的を達成するために、本発明の撮像装置は、被写体を撮像する撮像手段と、前記撮像手段による撮影画像を外部画像処理装置に出力する出力手段と、前記外部画像処理装置で生成される前記撮影画像に対する画像処理のパラメータ情報の送信要求を前記外部画像処理装置に対して送信する送信手段と、前記外部画像処理装置から前記パラメータ情報を受信する受信手段と、前記受信手段で受信した前記パラメータ情報を前記撮影画像と関連付けて記録する記録手段と、撮像装置における動作を検出する動作検出手段と、前記送信手段による前記パラメータ情報の送信要求の送信を制御する制御手段と、を備え、前記制御手段は、前記動作検出手段があらかじめ定めた前記動作を検出したときに、前記外部画像処理装置に対して前記パラメータ情報の送信要求を送信するように前記送信手段を制御することを特徴とする。
【発明の効果】
【００１１】
本発明によれば、外部画像処理装置で生成した撮影画像に対する画像処理のパラメータ情報と撮像装置で撮影した画像とを適切に関連付けて記録することができる。
【図面の簡単な説明】
【００１２】
【図１】本発明の撮像装置の第１の実施形態であるデジタルビデオカメラを備える画像処理システムの構成例を示す図である。
【図２】デジタルビデオカメラの構成例を示すブロック図である。
【図３】デジタルビデオカメラの画像処理部の構成例を示すブロック図である。
【図４】仮カラーグレーディング装置の構成例を示すブロック図である。
【図５】仮カラーグレーディング装置の画像処理部の構成例を示すブロック図である。
【図６】デジタルビデオカメラにおける電源起動から撮影画像の記録までの動作例を説明するためのフローチャート図である。
【図７】デジタルビデオカメラにおける、撮影と撮影との間のスタンバイ動作時の動作例について説明するためのフローチャート図である。
【図８】クリップ毎のＣＤＬパラメータ情報ついて説明するための図である。
【図９】クリップ（画像ファイル）のヘッダ部分に記録されるメタデータの一例を示す図である。
【図１０】外部モニタに表示される警告表示の一例を示す図である。
【図１１】デジタルビデオカメラで撮影中に仮カラーグレーディング装置からＣＤＬパラメータ情報を取得可能な場合における、デジタルビデオカメラと仮カラーグレーディング装置との間で行われる処理を説明するためのシーケンス図である。
【図１２】デジタルビデオカメラからＣＤＬパラメータ情報の送信要求を仮カラーグレーディング装置に送信した場合にパラメータ情報を生成途中であるときのカメラと仮カラーグレーディング装置との間で行われる処理を説明するためのシーケンス図である。
【図１３】本発明の撮像装置の第２の実施形態であるデジタルビデオカメラを備える画像処理システムにおいて、デジタルビデオカメラにおける電源起動から撮影画像の記録までの動作例を説明するためのフローチャート図である。
【図１４】（ａ）はクリップ毎のＣＤＬ管理情報の一例を示す図、（ｂ）はＣＤＬ＿ＩＤの管理情報の一例を示す図である。
【図１５】デジタルビデオカメラでの撮影前に仮カラーグレーディング装置からＣＤＬパラメータ情報を取得可能な場合における、カメラと仮カラーグレーディング装置との間で行われる処理を説明するためのシーケンス図である。
【図１６】デジタルビデオカメラからＣＤＬ＿ＩＤの送信要求を仮カラーグレーディング装置に送信した場合にＣＤＬパラメータ情報を生成途中であるときのカメラと仮カラーグレーディング装置との間で行われる処理を説明するためのシーケンス図である。
【図１７】本発明の撮像装置の第３の実施形態であるデジタルビデオカメラを備える画像処理システムにおいて、デジタルビデオカメラの２回目以降の撮影画像の記録時における動作例を説明するためのフローチャート図である。
【発明を実施するための形態】
【００１３】
以下、本発明の実施形態を図面を参照して説明する。
【００１４】
（第１の実施形態）
図１は、本発明の撮像装置の第１の実施形態であるデジタルビデオカメラを備える画像処理システムの構成例を示す図である。
【００１５】
図１において、デジタルカメラ１００（以下、カメラ１００という。）は、被写体を撮像し、撮影した画像を記録媒体１１２（図２参照）に記録するとともに、撮影中の撮影画像を仮カラーグレーディング装置３００に無線通信等により出力する。
【００１６】
仮カラーグレーディング装置３００は、カメラ１００から出力された撮影中の画像に対して色・輝度の補正等の仮カラーグレーディング処理を行い、画像の見た目を仮調整して、仮調整後の画像を外部モニタ２００に出力する。ここで、仮カラーグレーディング装置３００は、本発明の外部画像処理装置の一例に相当する。
【００１７】
本カラーグレーディング装置４００は、カメラ１００による撮影後に、記録媒体１１２から撮影した画像データを読み込む。また、本カラーグレーディング装置４００は、仮カラーグレーディング装置３００で生成された後述する仮カラーグレーディング情報に基づき、記録媒体１１２から読み込んだ画像データに対して仮カラーグレーディングと同じ処理を施す。さらに、本カラーグレーディング装置４００は、仮カラーグレーディングと同じ処理を施した後の画像データに対して本カラーグレーディング処理を行い、画像の見た目を詳細に調整して、調整後の画像を外部モニタ２０１に出力する。
【００１８】
図２は、カメラ１００の構成例を示すブロック図である。図２において、システム制御部５０は、カメラ１００全体の制御を司り、電源スイッチ１２１や操作部１２０等からの入力を受け付ける。電源部１２２は、システム制御部５０に電源を供給する。システムタイマ１２４は、各種制御に用いる時間や内蔵された時計の時間を計測する。システムメモリ１２５は、システム制御部５０の動作用の定数、変数、不揮発性メモリ１２３から読みだしたプログラム等を展開する。通信部１２６は、外部機器との間で無線による通信を行う。
【００１９】
撮像部１０３は、ＣＣＤセンサやＣＭＯＳセンサ等で構成され、ズームレンズやフォーカスレンズを含むレレンズ群１０１及び絞り機能を備えるシャッタ１０２を介して入射した被写体光を光電変換し、画像信号としてＡ／Ｄ変換器１０４に出力する。Ａ／Ｄ変換器１０４は、撮像部１０３から出力されるアナログ画像信号をデジタル画像信号に変換して画像処理部１０５に出力する。
【００２０】
画像処理部１０５は、Ａ／Ｄ変換器１０４から出力された画像データ、又はメモリ制御部１０７から読み出した画像データに対し、ホワイトバランスなどの色変換処理、ガンマ処理等を行う。また、画像処理部１０５は、撮像した画像データを用いて所定の演算処理を行い、得られた演算結果に基づいてシステム制御部５０による露光制御、測距制御が行われる。これにより、ＴＴＬ（スルー・ザ・レンズ）方式のＡＦ（オートフォーカス）処理やＡＥ（自動露出）処理等を行う。更に、画像処理部１０５は、撮像した画像データを用いて後述する処理により光源を推定し、推定した光源に基づきＡＷＢ（オートホワイトバランス）処理も行う。
【００２１】
画像処理部１０５から出力された画像データは、メモリ制御部１０７を介して画像メモリ１０６に書き込まれる。画像メモリ１０６は、撮像部１０３から出力された画像データや表示部１０９に表示するための画像データを格納する。外部出力Ｉ／Ｆ１１３は、画像メモリ１０６に格納されている画像データを外部の仮カラーグレーディング装置３００に出力する。Ｄ／Ａ変換器１０８は、画像メモリ１０６に格納されている画像表示用のデータをアナログ画像信号に変換して表示部１０９に供給する。表示部１０９は、ＬＣＤ等の表示パネルにＤ／Ａ変換器１０８から供給されたアナログ画像信号に応じた表示を行う。
【００２２】
コーデック部１１０は、画像メモリ１０６に記録された画像データをＭＰＥＧ等の規格に基づきそれぞれ圧縮符号化する。システム制御部５０は、符号化した画像データもしくは非圧縮の画像データを記録Ｉ／Ｆ１１１を介してメモリカードやハードディスク等の記録媒体１１２に格納する。
【００２３】
ここで、システム制御部５０は、ＥＥＰＲＯＭ等の不揮発性メモリ１２３に記録されたプログラムを実行することで、後述する本実施形態の各処理を実行する。その際、システム制御部５０の動作用の定数、変数、不揮発性メモリ１２３から読み出したプログラム等をシステムメモリ１２５に展開する。
【００２４】
図３を参照して、カメラ１００における画像処理部１０５について詳細に説明する。図３は、画像処理部１０５の構成例を示すブロック図である。
【００２５】
図３に示すように、画像処理部１０５は、色信号生成部１０５１、ＷＢ（ホワイトバランス）増幅部１０５２、色補正処理部１０５３、ガンマ処理部１０５４、輝度・色差信号生成部１０５５、ＡＣＥＳ処理部１０５６、及びガンマ処理部１０５８を有する。
【００２６】
Ａ／Ｄ変換部１０４から出力された画像信号は、ベイヤーＲＧＢのＲＡＷ形式とされ、ベイヤーＲＧＢ画像信号のままで画像を記録する場合、画像処理部１０５は、ベイヤーＲＧＢ画像信号をそのまま記録Ｉ／Ｆ１１１を介して記録媒体１１２に出力する。同時に、画像処理部１０５では、ベイヤーＲＧＢ画像信号が色信号生成部１０５１に入力される。
【００２７】
色信号生成部１０５１は、入力されたベイヤーＲＧＢの画像データに対して同時化処理を行うことで、色信号Ｒ，Ｇ，Ｂを生成し、生成した色信号ＲＧＢをＷＢ増幅部１０５２へ出力する。
【００２８】
ＷＢ増幅部１０５２は、システム制御部５０が算出するホワイトバランスゲイン値に基づき、ＲＧＢの色信号にゲインを掛け、ホワイトバランスを調整する。色補正処理部１０５３は、ＲＧＢの色信号に対して、３×３のマトリクス処理や３次元のＬＵＴ（ＬｏｏｋＵｐ  Ｔａｂｌｅ）処理を行い、色調を補正する。
【００２９】
ガンマ処理部１０５４は、Ｒｅｃ．７０９等の規格に沿ったガンマやログ形式のガンマを掛ける等のガンマ補正を行う。輝度・色差信号生成部１０５５は、ＲＧＢ信号から輝度信号Ｙ、及び色差信号Ｒ−Ｙ，Ｂ−Ｙ信号を生成し、生成した輝度信号Ｙ、及び色差信号Ｒ−Ｙ，Ｂ−Ｙ信号を外部出力Ｉ／Ｆ１１３及び記録Ｉ／Ｆ１１１へ出力する。
【００３０】
一方、ＡＣＥＳ変換部１０５７は、ＷＢ増幅部１０５２から出力されたＲＧＢ画像信号を映画芸術科学アカデミー（ＡＭＰＡＳ）が提案するＡＣＥＳ（Ａｃａｄｅｍｙ  Ｃｏｌｏｒ  Ｅｎｃｏｄｅ  Ｓｐｅｃｉｆｉｃａｔｉｏｎ）規格のＲＧＢ画像信号に変換する。
【００３１】
具体的には、ＡＣＥＳ変換部１０５７は、ＡＣＥＳ規格におけるＩＤＴ（Ｉｎｐｕｔ  Ｄｅｖｉｃｅ  Ｔｒａｎｓｆｏｒｍ）処理を行う。ＩＤＴ処理は、色再現性の補正処理や色空間の変換処理を含む処理であり、ＡＣＥＳ変換部１０５７は、生成したＡＣＥＳ＿ＲＧＢ画像信号をガンマ処理部１０５８へ出力する。このＡＣＥＳ規格のＲＧＢ画像信号は、被写体輝度に対してリニアであり、被写体に忠実な色再現性を持つ特性がある。
【００３２】
ガンマ処理部１０５８は、ＡＣＥＳ規格のＲＧＢ画像データにログ形式のガンマを掛けるガンマ処理を行い、ガンマ処理後のＡＣＥＳ画像信号（ＡＣＥＳ＿Ｒ′Ｇ′Ｂ′）を外部出力Ｉ／Ｆ１１３へ出力する。
【００３３】
なお、記録Ｉ／Ｆ１１１は、記録媒体１１２との信号を制御して、入力された画像信号を記録媒体１１２に出力する。本実施形態では、記録媒体１１２に記録する画像データは前述のベイヤーＲＧＢ画像データ、又は輝度・色差信号Ｙ、Ｒ−Ｙ、Ｂ−Ｙである。
【００３４】
また、外部出力Ｉ／Ｆ１１３は、画像処理部１０５のガンマ処理部１０５８から出力されたガンマ処理後のＡＣＥＳ画像信号をＨＤ−ＳＤＩ信号として伝送できる形式に変形して仮カラーグレーディング装置３００に出力する。
【００３５】
図４は、仮カラーグレーディング装置３００の構成例を示すブロック図である。図４において、システム制御部３５０は、仮カラーグレーディング装置３００全体の制御を司り、電源スイッチ３２１や操作部３２０等からの入力を受け付ける。操作部３２０は、マウスやキーボード、タッチパネル等から構成される。電源部３２２は、システム制御部３５０に電源を供給する。
【００３６】
システムタイマ３２４は、各種制御に用いる時間や内蔵された時計の時間を計測する。システムメモリ３２５は、システム制御部３５０の動作用の定数、変数、不揮発性メモリ３２３から読み出したプログラム等を展開する。通信部３２６は、カメラ１００等の外部機器との間で無線による通信を行う。入力Ｉ／Ｆ３０１は、カメラ１００から出力された画像信号を受信する。画像処理部３０３は、色変換や階調変換等の各種画像処理を行う。
【００３７】
そして、カメラ１００の外部出力Ｉ／Ｆ１１３を介して出力された画像信号を入力Ｉ／Ｆ３０１で受信すると、システム制御部３５０は、受信した画像信号を画像メモリ３０２に記録する。次に、システム制御部３５０は、ユーザ操作および後述する制御によって画像処理部３０３のパラメータを決定して、画像処理部３０３に対してパラメータを設定する。
【００３８】
画像処理部３０３は、システム制御部３５０で設定されたパラメータに従って画像に対して仮カラーグレーディング処理を含む画像処理を行い、画像処理結果を画像メモリ３０２に記録する。また、システム制御部３５０は、仮カラーグレーディング処理後の画像を画像メモリ３０２から読み出し、外部モニタＩ／Ｆ３０４を介して外部モニタ２００へ出力する。
【００３９】
図５を参照して、仮カラーグレーディング装置３００における画像処理部３０３について詳細に説明する。図５は、画像処理部３０３の構成例を示すブロック図である。
【００４０】
図５に示すように、画像処理部３０３は、カラーグレーディング処理部５０１、ＲＲＴ処理部５０２、及びＯＤＴ処理部５０３を有する。
【００４１】
カラーグレーディング処理部５０１には、カメラ１００から出力されたガンマ処理後のＡＣＥＳ＿ＲＧＢ画像信号が入力される。カラーグレーディング処理部５０１は、ユーザ操作による入力に応じたカラーグレーディング処理を行う。ここでは、カラーグレーディング処理の内容として、ＡＳＣ（Ｔｈｅ  Ａｍｅｒｉｃａｎ  Ｓｏｃｉｅｔｙ  Ｏｆ  Ｃｉｎｅｍａｔｏｇｒａｐｈｅｒｓ）が定義するＣＤＬ（Ｃｏｌｏｒ  Ｄｅｃｉｓｉｏｎ  Ｌｉｓｔ）で記載可能なカラーグレーディングを例に採る。
【００４２】
ＣＤＬ形式でのカラーグレーディングは、カラーグレーディング処理部５０１への入力をＩｎ、出力をＯｕｔとすると、Ｏｕｔ＝（ｓｌｏｐｅ×Ｉｎ＋ｏｆｆｓｅｔ）powerで表すことができる。
【００４３】
ここで、ｓｌｏｐｅ、ｏｆｆｓｅｔ、及びｐｏｗｅｒがカラーグレーディングのパラメータとなる。システム制御部３５０は、操作部３２０に対するユーザ操作を受信して、パラメータ（ｓｌｏｐｅ、ｏｆｆｓｅｔ、ｐｏｗｅｒ）を画像処理部３０３に設定する。カラーグレーディング処理部５０１は、カラーグレーディング処理後のＡＣＥＳ＿ＲＧＢ画像データをＲＲＴ処理部５０２へ出力する。
【００４４】
ＲＲＴ処理部５０２は、ＡＣＥＳ規格で定義されるＲＲＴ（Ｒｅｆｅｒｅｎｃｅ  Ｒｅｎｄｅｒｉｎｇ  Ｔｒａｎｓｆｏｒｍ）処理を行う。具体的には、ＲＲＴ処理部５０２は、フィルム調の見えになるような色調およびガンマの調整を行う。ＲＲＴ処理後のデータは、ＯＣＥＳ＿ＲＧＢ画像データと呼ばれる。ＲＲＴ処理部５０２は、ＲＲＴ処理後のＯＣＥＳ＿ＲＧＢ画像データをＯＤＴ処理部５０３へ出力する。
【００４５】
ＯＤＴ処理部５０３は、ＡＣＥＳ規格のＯＤＴ（Ｏｕｔｐｕｔ  Ｄｅｖｉｃｅ  Ｔｒａｎｓｆｏｒｍ）処理を行う。具体的には、ＯＤＴ処理部５０３は、出力先のモニタの規格特性に合わせたガンマおよび色域の変換を行う。本実施形態では、仮カラーグレーディング装置３００に接続された外部モニタ２００がＲｅｃ．７０９規格のモニタである場合を例に採る。この場合、ＯＤＴ処理部５０３は、Ｒｅｃ．７０９の色域に収まるように入力信号を変換し、Ｒｅｃ．７０９規格のガンマ処理を施す。ＯＤＴ処理部５０３は、変換後の画像信号（７０９＿ＲＧＢ信号）を外部モニタＩ／Ｆ３０４を介して外部モニタ２００へ出力する。
【００４６】
そして、上述したカメラ１００、仮カラーグレーディング装置３００、及び外部モニタ２００の組み合わせによって、ユーザは、撮影の際に外部モニタ２００に表示された画像を目的の見た目に近づける仮のカラーグレーディング処理を行うことが可能となる。
【００４７】
次に、カメラ１００と仮カラーグレーディング装置３００とが通信を行い、カラーグレーディングのパラメータ情報をやりとりする処理について説明する。
【００４８】
まず、図６を参照して、カメラ１００側の動作について説明する。図６は、カメラ１００における電源起動から撮影画像の記録までの動作例を説明するためのフローチャート図である。図６での各処理は、カメラ１００の不揮発性メモリ１２３に格納されたプログラム等がシステムメモリ１２５に展開されてシステム制御部５０により実行される。
【００４９】
図６において、ステップＳ６００では、システム制御部５０は、電源スイッチ１２１がユーザ操作によりオンされると、カメラ１００を起動してステップＳ６０１に進む。
【００５０】
ステップＳ６０１では、システム制御部５０は、通信部１２６を介して仮カラーグレーディング装置３００との通信を確立するように通信する。また、システム制御部５０は、外部出力Ｉ／Ｆ１１３を介して撮影画像信号（ガンマ処理後のＡＣＥＳ＿ＲＧＢ画像信号）を仮カラーグレーディング装置３００へ出力し、ステップＳ６０２に進む。このとき、システム制御部５０は、出力した撮影画像信号が仮カラーグレーディング装置３００に入力されているか否かを判定するための情報を仮カラーグレーディング装置３００から取得する。
【００５１】
ステップＳ６０２では、システム制御部５０は、ユーザ操作による操作部１２０での撮影画像の記録開始の入力を受け付けると、撮影画像の記録動作を開始する。具体的には、システム制御部５０は、画像処理部１０５の輝度・色差信号生成部１０５５で生成した輝度・色差信号（Ｙ，Ｂ−Ｙ，Ｒ−Ｙ）をコーデック部１１０で圧縮符号化し、記録Ｉ／Ｆ１１１を介して記録媒体１１２に記録する。また、システム制御部５０は、本発明の動作検出手段の一例として機能し、撮影画像の記録動作の開始を検出して、ステップＳ６０３に進む。
【００５２】
ステップＳ６０３では、システム制御部５０は、通信部１２６を介して仮カラーグレーディング装置３００に対してカラーグレーディングのパラメータとしてのＣＤＬ形式での情報の送信要求を送信し、ステップＳ６０４に進む。ただし、この処理は、ステップＳ６０１で取得したカメラ１００からの出力撮影画像が仮カラーグレーディング装置３００に入力されているか否かを示す情報を用いて、出力撮影画像が仮カラーグレーディング装置３００に入力されていると判定した場合のみ行う。
【００５３】
なお、本実施形態では、上述したように、仮カラーグレーディング装置３００でＣＤＬ形式により記述可能なカラーグレーディング処理を行っている為、カラーグレーディングパラメータとしてＣＤＬ形式での情報を要求する。ＣＤＬ形式の情報とは、ＲＧＢそれぞれに対して上述した（ｓｌｏｐｅ，ｏｆｆｓｅｔ，ｐｏｗｅｒ）のパラメータを備えた数値情報（以下、ＣＤＬパラメータ情報という。）である。
【００５４】
ステップＳ６０４では、システム制御部５０は、ユーザ操作による操作部１２０での記録停止の入力を受け付けると、撮影画像の記録動作を停止し、ステップＳ６０５に進む。
【００５５】
ステップＳ６０５では、システム制御部５０は、撮影画像の記録動作を停止した時点でＣＤＬパラメータ情報を仮カラーグレーディング装置３００から取得したか否かを判定する。そして、システム制御部５０は、ＣＤＬパラメータ情報を取得済みの場合は、ステップＳ６０６へ進み、未取得の場合は、ステップＳ６０８へ進む。
【００５６】
ステップＳ６０６では、システム制御部５０は、クリップ毎のＣＤＬパラメータ情報を更新し、ステップＳ６０７に進む。
【００５７】
ここで、図８を参照して、クリップ毎のＣＤＬパラメータ情報ついて説明する。ここでのクリップとは、一回の撮影（記録から停止まで）で生成されるファイルを示す。システム制御部５０は、撮影時にクリップにＩＤを付与し、通信部１２６を介して仮カラーグレーディング装置３００からＣＤＬパラメータ情報を取得する。そして、システム制御部５０は、図８に示すように、クリップに割り当てたＩＤと仮カラーグレーディング装置３００から取得したＣＤＬパラメータ情報とを関連付けて管理する。
【００５８】
即ち、システム制御部５０は、新たな撮影画像の記録を行い新たなクリップを生成した場合には、新たなクリップＩＤを生成する。そして、システム制御部５０は、そのタイミングで仮カラーグレーディング装置３００から取得したＣＤＬパラメータ情報をクリップＩＤと関連付けてシステムメモリ１２５に記録する。
【００５９】
図６に戻って、ステップＳ６０７では、システム制御部５０は、クリップのヘッダ部分に、クリップのＩＤに関連付けられたＣＤＬパラメータ情報をメタデータ（付加情報）として記録し、処理を終了する。
【００６０】
ここで、図９は、クリップ（画像ファイル８００）のヘッダ部分に記録されるメタデータ８０１の一例を示す図である。図９に示すように、クリップ（画像ファイル８００）には、メタデータ８０１、及び画像フレームデータ８１０，８１１が記録される。また、メタデータ８０１は、クリップ（画像ファイル８００）のヘッダ部に記録され、メタデータ８０１の一部としてＣＤＬパラメータ情報８０２が記録される。
【００６１】
一方、ステップＳ６０８では、システム制御部５０は、仮カラーグレーディング装置３００からＣＤＬパラメータ情報が取得できていないことをユーザに知らせるための警告表示を行い、ステップＳ６０９に進む。具体的には、システム制御部５０は、警告表示の画像を生成し、画像信号に多重化して外部モニタ２００へ出力する。
【００６２】
図１０は、外部モニタ２００に表示される警告表示の一例を示す図である。図１０に示すように、外部モニタ２００には、撮影画像９００及び警告画像９０１が表示される。警告画像９０１には、ＣＤＬパラメータ情報が取得できていないことをユーザに示すテキスト情報とともに、ＣＤＬパラメータ情報が関連付けられていないクリップのＩＤも表示される。
【００６３】
図６に戻って、ステップＳ６０９では、システム制御部５０は、クリップ毎のＣＤＬ管理情報（図８）を更新し、ステップＳ６１０に進む。ここでの処理は、クリップに関連づけるＣＤＬパラメータ情報を取得できていないため、図８に示すクリップのＩＤが０００４，０００５，０００６のように、ＣＤＬ管理情報にＣＤＬパラメータ情報を「未取得」であることを示す情報を記録する。
【００６４】
ステップＳ６１０では、システム制御部５０は、通信部１２６を介してＣＤＬパラメータ情報の送信要求を再度仮カラーグレーディング装置３００に送信し、処理を終了する。
【００６５】
次に、図７を参照して、カメラ１００における、撮影と撮影との間のスタンバイ動作時の動作例について説明する。図７での各処理は、カメラ１００の不揮発性メモリ１２３に格納されたプログラム等がシステムメモリ１２５に展開されてシステム制御部５０により実行される。
【００６６】
図７において、ステップＳ６２０では、システム制御部５０は、仮カラーグレーディング装置３００から通信部１２６を介してＣＤＬパラメータ情報を受信し、ステップＳ６２１に進む。ここでのＣＤＬパラメータ情報の受信は、図６のステップＳ６０３やステップＳ６１０でのカメラ１００からのＣＤＬパラメータ情報の送信要求に対する仮カラーグレーディング装置３００の返答データの受信である。撮影記録の終了までに、ＣＤＬパラメータ情報を受信できていれば、図６のステップＳ６０７のように、クリップのヘッダ部分にＣＤＬパラメータ情報を記録できるが、撮影記録を停止した後にＣＤＬパラメータ情報を受信した場合は、本ステップの処理を行う。
【００６７】
ステップＳ６２１では、システム制御部５０は、クリップ毎のＣＤＬ管理情報（図８）にＣＤＬパラメータ情報の「未取得」を示すクリップがあるか否かを判定する。そして、システム制御部５０は、ＣＤＬパラメータ情報の未取得クリップがある場合は、ステップＳ６２２に進み、未取得クリップがない場合は、ステップＳ６２４に進む。
【００６８】
ステップＳ６２２では、システム制御部５０は、未取得のクリップに対してステップＳ６２０で取得したＣＤＬパラメータ情報を関連付け、ステップＳ６２３に進む。図８の例では、クリップＩＤが０００４，０００５，０００６のクリップに対してステップＳ６２０で取得したＣＤＬパラメータ情報を関連づける。
【００６９】
ステップＳ６２３では、システム制御部５０は、ステップＳ６２２で新たにＣＤＬパラメータ情報を関連付けたクリップのヘッダ部分にＣＤＬパラメータ情報をメタデータとして記録し、ステップＳ６２４に進む。
【００７０】
ステップＳ６２４では、システム制御部５０は、取得したＣＤＬパラメータ情報を次に撮影するクリップに対して関連付けるＣＤＬパラメータ情報としてシステムメモリ１２５に保持し、処理を終了する。
【００７１】
次に、図１１を参照して、カメラ１００で撮影中に仮カラーグレーディング装置３００からＣＤＬパラメータ情報を取得可能な場合における、カメラ１００と仮カラーグレーディング装置３００との間で行われる処理について説明する。
【００７２】
図１１において、ステップＳ１００１では、仮カラーグレーディング装置３００のシステム制御部３５０は、ユーザによる操作部３２０への操作に応じてＣＤＬパラメータ情報を生成する。
【００７３】
ステップＳ１００２では、カメラ１００のシステム制御部５０は、ユーザ操作による操作部１２０での撮影画像の記録開始の入力を受け付けると、撮影画像の記録動作を開始する。ここでの処理は、図６のステップＳ６０２に相当する。
【００７４】
ステップＳ１００３では、カメラ１００のシステム制御部５０は、通信部１２６を介して仮カラーグレーディング装置３００に対してＣＤＬパラメータ情報を送信するように要求する。ここでの処理は、図６のステップＳ６０３に相当する。
【００７５】
ステップＳ１００４では、仮カラーグレーディング装置３００のシステム制御部３５０は、通信部３２６を介してステップＳ１００１で生成したＣＤＬパラメータ情報をカメラ１００へ送信する。
【００７６】
ステップＳ１００５では、カメラ１００のシステム制御部５０は、ユーザ操作による操作部１２０での記録停止の入力を受け付けると、撮影画像の記録動作を停止する。そして、システム制御部５０は、撮影画像に対してクリップＩＤを割り当て、受信したＣＤＬパラメータ情報とクリップＩＤを関連付けてクリップ毎にＣＤＬ管理情報に記録する。ここでの処理は、図６のＳステップＳ６０４及びステップＳ６０６に相当する。
【００７７】
ステップＳ１００６では、カメラ１００のシステム制御部５０は、クリップのヘッダ部分に受信したＣＤＬパラメータ情報を記録する。ここでの処理は、図６のステップＳ６０７に相当する。
【００７８】
図１２を参照して、カメラ１００からＣＤＬパラメータ情報の送信要求を仮カラーグレーディング装置３００に送信した場合にＣＤＬパラメータ情報を生成途中であるときのカメラ１００と仮カラーグレーディング装置３００との間で行われる処理について説明する。
【００７９】
図１２において、ステップＳ１０１１では、カメラ１００のシステム制御部５０は、ユーザ操作による操作部１２０での撮影画像の記録開始の入力を受け付けると、撮影画像の記録動作を開始する。ここでの処理は、図６のステップＳ６０２に相当する。
【００８０】
ステップＳ１０１２では、カメラ１００のシステム制御部５０は、通信部１２６を介して仮カラーグレーディング装置３００に対してＣＤＬパラメータ情報を送信するように要求する。ここでの処理は、図６のステップＳ６０３に相当する。
【００８１】
ステップＳ１０１３では、仮カラーグレーディング装置３００のシステム制御部３５０は、ユーザによる操作部３２０への操作に応じてＣＤＬパラメータ情報を生成する。ただし、生成が完了する前に、カメラ１００の撮影が停止する。
【００８２】
ステップＳ１０１４では、カメラ１００のシステム制御部５０は、仮カラーグレーディング装置３００からＣＤＬパラメータ情報が取得できていないことをユーザに知らせるための警告表示を行う。ここでの処理は、図６のステップＳ６０８に相当する。
【００８３】
ステップＳ１０１５では、カメラ１００のシステム制御部５０は、仮カラーグレーディング装置３００からクリップに関連づけるＣＤＬパラメータ情報を取得できていないため、クリップ毎のＣＤＬ管理情報に「未取得」であることを示す情報を記録する。ここでの処理は、図６のステップＳ６０９に相当する。
【００８４】
ステップＳ１０１６では、仮カラーグレーディング装置３００のシステム制御部３５０は、仮のカラーグレーディング処理を完了し、ＣＤＬパラメータ情報の生成を完了すると、通信部３２６を介してＣＤＬパラメータ情報をカメラ１００へ送信する。
【００８５】
ステップＳ１０１７では、カメラ１００のシステム制御部５０は、ＣＤＬパラメータ情報を受信するとクリップ毎にＣＤＬ管理情報（図８）を更新する。具体的には、カメラ１００のシステム制御部５０は、クリップ毎にＣＤＬ管理情報のＣＤＬパラメータ情報が「未取得」となっていたクリップに対して受信したＣＤＬパラメータ情報を関連付けて記録する。ここでの処理は、図６のステップＳ６２２に相当する。
【００８６】
ステップＳ１０１８では、カメラ１００のシステム制御部５０は、ステップＳ１０１７で新たにＣＤＬパラメータ情報を関連付けたクリップを読み込み、そのヘッダ部分にＣＤＬパラメータ情報をメタデータとして記録する。ここでの処理は、図６のステップＳ６２３に相当する。
【００８７】
以上説明したように、本実施形態では、カメラ１００が撮影画像の記録動作を開始したタイミングで仮カラーグレーディング装置３００に対してＣＤＬパラメータ情報の送信要求を送信し、受信したＣＤＬパラメータ情報を撮影画像に関連付けて記録する。これにより、カメラ１００の外部の仮カラーグレーディング装置３００で生成したＣＤＬパラメータ情報とカメラ１００で撮影した画像とを適切に関連付けて記録することができる。
【００８８】
なお、本実施形態では、ＡＣＥＳ規格で色調やガンマを調整した場合を例示したが、カメラ１００と仮カラーグレーディング装置３００との間で共通のガンマカーブや色空間を用いる場合であれば、ＡＣＥＳ規格以外であってもよい。例えば、ガンマカーブをＣｉｎｅｏｎ、色空間をＤＣＩ等の規格を用いて調整してもよい。
【００８９】
また、本実施形態では、撮影画像の記録動作が開始されたタイミングを検出して仮カラーグレーディング装置３００に対してＣＤＬパラメータ情報の送信要求を送信する場合を例示したが、これに限定されない。
【００９０】
例えば、カメラ１００に対して撮像や再生に関する操作、前記撮影画像の画角を決定する操作又は入射する光量を調整する操作が行われたタイミングを検出して送信要求を送信してもよい。具体的には、例えば、ユーザによるレンズの絞り等の変更が完了した時点や感度設定の変更が完了した時点等、ユーザが撮影準備が整ったと判断した段階で仮カラーグレーディング装置３００にＣＤＬパラメータ情報の送信要求を送信することも可能である。また、撮影後に画像を再生して仮のカラーグレーディングすることもあるため、再生中若しくは再生完了後に仮カラーグレーディング装置３００にＣＤＬパラメータ情報の送信要求を送信することも可能である。
【００９１】
また、本実施形態では、撮影画像の記録を開始した時点で、仮カラーグレーディング装置３００に対して一度だけＣＤＬパラメータ情報の送信要求を送信する場合を例示したが、カメラ１００に対する操作に基づいて複数回の送信要求を送信してもよい。例えば、カメラ１００が撮影画像の記録終了後に、ＣＤＬパラメータ情報を取得できていない場合は、定期的に仮カラーグレーディング装置３００に送信要求を送信することも可能である。
【００９２】
また、本実施形態では、カラーグレーディングのパラメータ情報として、ＣＤＬ形式の情報を例示したが、例えば１Ｄや３Ｄのルックアップテーブルの形式でカラーグレーディングパラメータをやりとりする構成であってもかまわない。
【００９３】
また、本実施形態では、撮影画像のクリップのヘッダ部分にメタデータとしてＣＤＬパラメータ情報を記録する場合を例示したが、クリップとＣＤＬパラメータ情報とが関連付けられるのであれば特に限定されない。例えば、ＣＤＬパラメータ情報へのリンク情報をメタデータとして記録してもよいし、ＣＤＬパラメータ情報にＩＤを発行して、ＩＤをメタデータとして記録してもよい。
【００９４】
また、本実施形態では、撮影画像のクリップをカメラ１００の記録媒体１１２に記録する場合を例示したが、撮影画像データを外部装置の記録媒体に記録するとも可能である。この場合、図６のステップＳ６２２のようにＣＤＬパラメータ情報の「未取得」のクリップのメタデータをカメラ１００内で更新することはできないが、ＣＤＬパラメータ情報の更新情報を外部装置に渡し、外部装置でメタデータを更新することも可能である。
【００９５】
（第２の実施形態）
次に、図１３乃至図１６を参照して、本発明の撮像装置の第２の実施形態であるデジタルビデオカメラを備える画像処理システムについて説明する。なお、本実施形態では、上記第１の実施形態に対して重複又は相当する部分については、図及び符号を流用して説明する。
【００９６】
本実施形態においては、仮カラーグレーディングのＣＤＬパラメータ情報に識別ＩＤを付けて管理する。
【００９７】
まず、図１３を参照して、カメラ１００側の動作について説明する。図１３は、カメラ１００における電源起動から撮影画像の記録までの動作例を説明するためのフローチャート図である。図１３での各処理は、カメラ１００の不揮発性メモリ１２３に格納されたプログラム等がシステムメモリ１２５に展開されてシステム制御部５０により実行される。
【００９８】
図１３において、ステップＳ１１０１では、システム制御部５０は、電源スイッチ１２１がユーザ操作によりオンされてカメラ１００が起動すると、通信部１２６を介して仮カラーグレーディング装置３００との通信を確立するように通信を開始する。また、システム制御部５０は、外部出力Ｉ／Ｆ１１３を介して撮影画像信号（ガンマ処理後のＡＣＥＳ＿ＲＧＢ画像信号）を仮カラーグレーディング装置３００へ出力し、ステップＳ１１０２に進む。
【００９９】
ステップＳ１１０２では、システム制御部５０は、ユーザ操作による操作部１２０での撮影画像の記録開始の入力を受け付けると、撮影画像の記録動作を開始し、ステップＳ１１０３に進む。
【０１００】
ステップＳ１１０３では、システム制御部５０は、通信部１２６を介して仮カラーグレーディング装置３００に対してカラーグレーディングのパラメータのＩＤ情報の送信を要求し、ステップＳ１１０４に進む。なお、本実施形態でも、上記第１の実施形態と同様に、カラーグレーディングのパラメータはＣＤＬ形式の情報を利用するが、本ステップで送信要求する情報は、ＣＤＬパラメータ情報を特定するＩＤ情報であるＣＤＬ＿ＩＤである。後述するように、仮カラーグレーディング装置３００は、生成済みのＣＤＬパラメータ情報もしくはこれから生成されるＣＤＬパラメータ情報に対してＩＤを付与して、そのＩＤ情報をＣＤＬ＿ＩＤとしてカメラ１００に対して送信する。
【０１０１】
ステップＳ１１０４では、システム制御部５０は、通信部１２６を介して仮カラーグレーディング装置３００からＣＤＬ＿ＩＤを受信し、ステップＳ１１０５に進む。
【０１０２】
ステップＳ１１０５では、システム制御部５０は、ユーザ操作による操作部１２０での記録停止の入力を受け付けると、撮影画像の記録動作を停止し、ステップＳ１１０６に進む。
【０１０３】
ステップＳ１１０６では、システム制御部５０は、クリップ毎のＣＤＬ管理情報を更新し、ステップＳ１１０７に進む。
【０１０４】
図１４（ａ）は、クリップ毎のＣＤＬ管理情報の一例を示す図である。図１４（ａ）では、ステップＳ１１０２で記録を開始した撮影画像のクリップＩＤとステップＳ１１０４で受信したＣＤＬ＿ＩＤとを関連付けて管理している。即ち、新しく撮影画像の記録を行う毎にそのクリップにＣＤＬ＿ＩＤを関連付けてシステムメモリ１２５に記録する。また、カメラ１００は、仮カラーグレーディング装置３００からＣＤＬ＿ＩＤを受信するタイミングもしくはＣＤＬ＿ＩＤを受信した後のタイミングで、ＣＤＬ＿ＩＤに対応するＣＤＬパラメータ情報を受信する。
【０１０５】
図１４（ｂ）は、ＣＤＬ＿ＩＤの管理情報の一例を示す図である。図１４（ｂ）に示すように、システム制御部５０は、取得したＣＤＬパラメータ情報のデータとＣＤＬ＿ＩＤとを対応付けてシステムメモリ１２５に記録する。システム制御部５０は、ＣＤＬ＿ＩＤに対応するＣＤＬパラメータ情報のデータが取得できていない場合は、「未取得」を示すフラグを立てて管理する。図１４（ｂ）の例では、ＣＤＬ＿ＩＤ００４に対応するＣＤＬパラメータ情報が未取得となっている。
【０１０６】
ステップＳ１１０７では、システム制御部５０は、ステップＳ１１０４で取得したＣＤＬ＿ＩＤに対応するＣＤＬパラメータ情報を取得済みであるかを判定する。そして、システム制御部５０は、ステップＳ１１０４で取得したＣＤＬ＿ＩＤに対応するＣＤＬパラメータ情報を取得済みの場合は、ステップＳ１１１０に進み、未取得の場合は、ステップＳ１１０８に進む。
【０１０７】
ステップＳ１１０８では、システム制御部５０は、ステップＳ１１０４で取得したＣＤＬ＿ＩＤに対応するＣＤＬパラメータ情報の送信要求を仮カラーグレーディング装置３００に送信し、ステップＳ１１０９に進む。
【０１０８】
ステップＳ１１０９では、システム制御部５０は、ステップＳ１１０４で取得したＣＤＬ＿ＩＤに対応するＣＤＬパラメータ情報を仮カラーグレーディング装置３００から取得する。そして、システム制御部５０は、取得したＣＤＬパラメータ情報に基づき、図１４（ｂ）に示すＣＤＬ＿ＩＤ管理情報を更新する。即ち、仮カラーグレーディング装置３００から取得したＣＤＬ＿ＩＤに対応するＣＤＬパラメータ情報をシステムメモリ１２５に記録し、ステップＳ１１１０に進む。
【０１０９】
ステップＳ１１１０では、システム制御部５０は、撮影画像のクリップのヘッダ部分にステップＳ１１０９で取得したＣＤＬパラメータ情報をメタデータとして記録し、処理を終了する。
【０１１０】
次に、図１５を参照して、カメラ１００での撮影前に仮カラーグレーディング装置３００からＣＤＬパラメータ情報を取得可能な場合における、カメラ１００と仮カラーグレーディング装置３００との間で行われる処理について説明する。
【０１１１】
図１５において、ステップＳ１３０１では、仮カラーグレーディング装置３００のシステム制御部３５０は、ユーザによる操作部３２０への操作に応じてＣＤＬパラメータ情報を生成し、生成したＣＤＬパラメータ情報に対してＣＤＬ＿ＩＤを割り当てる。
【０１１２】
ステップＳ１３０２では、仮カラーグレーディング装置３００のシステム制御部３５０は、生成したＣＤＬパラメータ情報及びＣＤＬ＿ＩＤを通信部３２６を介してカメラ１００へ送信する。
【０１１３】
ステップＳ１３０３では、カメラ１００のシステム制御部５０は、受信したＣＤＬ＿ＩＤ及びＣＤＬパラメータ情報に基づき、図１４（ｂ）に示すＣＤＬ＿ＩＤの管理情報を更新する。なお、ステップＳ１３０１〜Ｓ１３０３の処理は、ステップＳ１３０４の実行前に複数回行っていてもよい。この場合、カメラ１００のシステム制御部５０は、複数のＣＤＬ＿ＩＤとＣＤＬパラメータ情報とのセットをＣＤＬ＿ＩＤ管理情報として記録する。
【０１１４】
ステップＳ１３０４では、カメラ１００のシステム制御部５０は、ユーザ操作による操作部１２０での撮影画像の記録開始の入力を受け付けると、撮影画像の記録動作を開始する。
【０１１５】
ステップＳ１３０５は、カメラ１００のシステム制御部５０は、通信部１２６を介してＣＤＬ＿ＩＤの送信要求を仮カラーグレーディング装置３００に対して送信する。
【０１１６】
ステップＳ１３０６では、仮カラーグレーディング装置３００のシステム制御部３５０は、現在カメラ１００から送信される画像に対して適用されているＣＤＬ＿ＩＤを通信部３２６を介してカメラ１００に送信する。
【０１１７】
ステップＳ１３０７では、カメラ１００のシステム制御部５０は、撮影画像の記録が完了すると、クリップ毎のＣＤＬ管理情報（図１４（ａ））を更新する。即ち、システム制御部５０は、撮影画像のクリップとＣＤＬ＿ＩＤとを対応づけてシステムメモリ１２５に記録する。
【０１１８】
ステップＳ１３０８では、カメラ１００のシステム制御部５０は、撮影画像のクリップのヘッダ部分に受信したＣＤＬパラメータ情報をメタデータとして記録する。
【０１１９】
図１６を参照して、カメラ１００からＣＤＬ＿ＩＤの送信要求を仮カラーグレーディング装置３００に送信した場合にＣＤＬパラメータ情報を生成途中であるときのカメラ１００と仮カラーグレーディング装置３００との間で行われる処理について説明する。
【０１２０】
図１６において、ステップＳ１３１０では、カメラ１００のシステム制御部５０は、ユーザ操作による操作部１２０での撮影画像の記録開始の入力を受け付けると、撮影画像の記録動作を開始する。
【０１２１】
ステップＳ１３１１では、カメラ１００のシステム制御部５０は、通信部１２６を介して仮カラーグレーディング装置３００に対してＣＤＬ＿ＩＤの送信要求を送信する。
【０１２２】
ステップＳ１３１２では、仮カラーグレーディング装置３００のシステム制御部３５０は、ユーザ操作に応じたＣＤＬパラメータ情報を生成する。このとき、システム制御部３５０は、ＣＤＬパラメータ情報を新規に生成し始めた段階で生成中のＣＤＬパラメータ情報にＣＤＬ＿ＩＤを割り当てる。
【０１２３】
ステップＳ１３１３では、仮カラーグレーディング装置３００のシステム制御部３５０は、カメラ１００からＣＤＬ＿ＩＤの送信要求を受信すると、現在生成中のＣＤＬパラメータ情報のＣＤＬ＿ＩＤを通信部３２６を介してカメラ１００へ送信する。
【０１２４】
ステップＳ１３１４は、カメラ１００のシステム制御部５０は、撮影画像の記録が完了すると、クリップ毎のＣＤＬ管理情報（図１４（ａ））を更新する。即ち、システム制御部５０は、撮影画像のクリップとＣＤＬ＿ＩＤを対応づけて記録する。
【０１２５】
ステップＳ１３１５では、カメラ１００のシステム制御部５０は、ＣＤＬ＿ＩＤ管理情報（図１４（ｂ））を更新する。具体的には、システム制御部５０は、仮カラーグレーディング装置３００から受信したＣＤＬ＿ＩＤに対してＣＤＬ＿ＩＤ管理情報にＣＤＬパラメータ情報の「未取得」のフラグを記録する。
【０１２６】
ステップＳ１３１６では、仮カラーグレーディング装置３００のシステム制御部３５０は、ＣＤＬパラメータ情報の生成を完了すると、通信部３２６を介してＣＤＬパラメータ情報とＣＤＬ＿ＩＤをカメラ１００へ送信する。
【０１２７】
ステップＳ１３１７では、カメラ１００のシステム制御部５０は、ＣＤＬ＿ＩＤ管理情報（図１４（ｂ））を更新する。具体的には、システム制御部５０は、仮カラーグレーディング装置３００から受信したＣＤＬ＿ＩＤに対してＣＤＬ＿ＩＤ管理情報に受信したＣＤＬパラメータ情報を記録する。
【０１２８】
ステップＳ１３１８では、カメラ１００のシステム制御部５０は、仮カラーグレーディング装置３００から受信したＣＤＬ＿ＩＤと関連づけられた撮影画像のクリップのヘッダ部分に受信したＣＤＬパラメータ情報をメタデータとして記録する。即ち、ＣＤＬパラメータ情報が「未取得」であったためメタデータを記録できなかったクリップのヘッダ部分に受信したＣＤＬパラメータ情報を記録する。
【０１２９】
以上説明したように、本実施形態では、仮カラーグレーディングのＣＤＬパラメータ情報にＩＤを割り振り、カメラ１００から仮カラーグレーディング装置３００に対してＣＤＬ＿ＩＤの送信要求を送信する。このように、ＣＤＬ＿ＩＤを用いることにより、カメラ１００で撮影が完了したタイミングで、仮カラーグレーディング処理が完了していない場合であっても、後から撮影画像のクリップにＣＤＬパラメータ情報を正しく関連付けることが可能となる。その他の構成、及び作用効果は、上記第１の実施形態と同様である。
【０１３０】
なお、本実施形態では、撮影画像の記録時にカメラ１００から仮カラーグレーディング装置３００にＣＤＬ＿ＩＤの送信要求を送信しているが、ユーザによって撮像もしくは再生に関する操作が行われた段階でＣＤＬ＿ＩＤの送信要求を送信するようにしてもよい。
【０１３１】
また、撮影した画像の再生中もしくは再生終了後に、カメラ１００から仮カラーグレーディング装置３００にＣＤＬ＿ＩＤの送信要求を送信する制御を行ってもよい。この場合、撮影画像の記録時に取得したＣＤＬ＿ＩＤと再生時に取得したＣＤＬ＿ＩＤとが異なるときは、再生時に取得したＣＤＬ＿ＩＤに対応した撮影画像のクリップのヘッダ部分にＣＤＬパラメータ情報を記録する。
【０１３２】
（第３の実施形態）
次に、図１７を参照して、本発明の撮像装置の第３の実施形態であるデジタルビデオカメラを備える画像処理システムについて説明する。なお、本実施形態では、上記第１の実施形態に対して重複又は相当する部分については、図及び符号を流用して説明する。
【０１３３】
本実施形態では、カメラ１００の撮影状態情報が変化した場合にのみ、カメラ１００から仮カラーグレーディング装置３００に対しての送信要求を送信する。また、上記第１の実施形態では、撮影後にＣＤＬパラメータ情報を受信できていない場合は、外部モニタ２００に撮影画像９００及び警告画像９０１を表示している。これに対し、本実施形態では、を受信できていない状態であっても、カメラ１００での撮影状態が大きく変化していない場合は、直前回に撮影したクリップに関連付けられたＣＤＬパラメータ情報をメタデータとして記録する制御を行う。
【０１３４】
図１７は、カメラ１００の２回目以降の撮影画像の記録時における動作例を説明するためのフローチャート図である。なお、カメラ１００の１回目の撮影画像の記録時における動作は、図６と同様の処理を行う。図１７での各処理は、カメラ１００の不揮発性メモリ１２３に格納されたプログラム等がシステムメモリ１２５に展開されてシステム制御部５０により実行される。
【０１３５】
図１７において、ステップＳ１４０１では、システム制御部５０は、仮カラーグレーディング装置３００から通信部１２６を介してＣＤＬパラメータ情報を受信し、ステップＳ１４０２に進む。ここでは、事前に１回目の撮影が行われており、上記第１の実施形態の図６のステップＳ６２０と同様の制御によりを受信する。
【０１３６】
ステップＳ１４０２では、システム制御部５０は、ユーザ操作による操作部１２０での撮影画像の記録開始の入力を受け付けると、撮影画像の記録動作を開始し、ステップＳ１４０３に進む。
【０１３７】
ステップＳ１４０３では、システム制御部５０は、通信部１２６を介して仮カラーグレーディング装置３００に対してＣＤＬパラメータ情報の送信要求を送信し、ステップＳ１４０４に進む。
【０１３８】
ステップＳ１４０４では、システム制御部５０は、ユーザ操作による操作部１２０での記録停止の入力を受け付けると、撮影画像の記録動作を停止し、ステップＳ１４０５に進む。
【０１３９】
ステップＳ１４０５では、システム制御部５０は、撮影画像の記録動作を停止した時点でＣＤＬパラメータ情報を仮カラーグレーディング装置３００から取得したか否かを判定する。そして、システム制御部５０は、ＣＤＬパラメータ情報を取得済みの場合は、ステップＳ１４０９に進み、未取得の場合は、ステップＳ１４０６に進む。
【０１４０】
ステップＳ１４０６では、システム制御部５０は、直前回の撮影時に記録された撮影画像における撮影状態情報と、ステップＳ１４０２で記録した今回の撮影画像における撮影状態情報とを比較して、撮影状態情報の変化を検出する。ここで、システム制御部５０は、本発明の変化検出手段の一例として機能する。なお、本実施形態では、撮影状態情報として、撮影画像の平均輝度を利用し、システム制御部５０は、今回の撮影画像の平均輝度のデータと直前回の撮影画像の平均輝度のデータとの差分を算出して、ステップＳ１４０７に進む。
【０１４１】
ステップＳ１４０７では、システム制御部５０は、撮影画像の平均輝度の差分が所定の閾値を超える場合は、撮影状態情報に変化ありと判定し、ステップＳ１４１１に進み、所定の閾値以下の場合は、撮影状態情報に変化なしと判定し、ステップＳ１４０８に進む。
【０１４２】
ステップＳ１４０８では、システム制御部５０は、カメラ１００の撮影状態情報の変化がないため、直前回の撮影時に取得したＣＤＬパラメータ情報を今回の撮影画像のクリップに適用し、ステップＳ１４０９に進む。
【０１４３】
ステップＳ１４０９では、システム制御部５０は、クリップ毎ＣＤＬ管理情報（図８）で、撮影画像のクリップのＩＤとＣＤＬパラメータ情報とを関連付けて記録し、ステップＳ１４１０に進む。
【０１４４】
ステップＳ１４１０では、システム制御部５０は、撮影画像のクリップのヘッダ部分に、クリップのＩＤに対応付けられたＣＤＬパラメータ情報をメタデータとして記録し、処理を終了する。
【０１４５】
一方、ステップＳ１４１１では、図６のステップＳ６０８と同様に、システム制御部５０は、仮カラーグレーディング装置３００からＣＤＬパラメータ情報が取得できていないことをユーザに知らせるための警告表示を行い、ステップＳ１４１２に進む。
【０１４６】
ステップＳ１４１２では、図６のステップＳ６０９と同様に、システム制御部５０は、クリップ毎のＣＤＬ管理情報（図８）を更新し、ステップＳ１４１３に進む。ここでの処理は、上述したように、クリップに関連づけるＣＤＬパラメータ情報を取得できていないため、図８に示すクリップのＩＤが０００４，０００５，０００６のように、ＣＤＬ管理情報にＣＤＬパラメータ情報を「未取得」であることを示す情報を記録する。
【０１４７】
ステップＳ１４１３では、図６のステップＳ６１０と同様に、システム制御部５０は、通信部１２６を介してＣＤＬパラメータ情報の送信要求を再度仮カラーグレーディング装置３００に送信し、処理を終了する。
【０１４８】
以上説明したように、本実施形態では、ＣＤＬパラメータ情報を受信できていない場合であっても、カメラ１００での撮影状態が大きく変化していない場合は、直前回に撮影したクリップに関連付けられたＣＤＬパラメータ情報を利用する制御を行う。これにより、撮影時にＣＤＬパラメータ情報が取得できなかった場合であっても、同じような被写体やシーンの前回の撮影画像に対して適用されたＣＤＬパラメータ情報を今回の撮影画像に関連付けることができる。そのため、ユーザが撮影画像に対するＣＤＬパラメータ情報の関連付けを忘れるのを防止することが可能となる。その他の構成、及び作用効果は、上記第１の実施形態と同様である。
【０１４９】
ここで、本実施形態では、カメラ１００の撮影状態情報として撮影画像の輝度の平均値を例示したが、被写体や構図、カメラ１００の撮影パラメータの特徴を示す情報等であれどんな情報であってもかまわない。例えば、撮影画像の輝度情報以外に、色相や彩度などの色情報、被写体の輪郭特徴情報を撮影状態情報として用いてもよい。また、カメラ１００の絞り、ズーム倍率、使用しているレンズ情報、カメラ１００の位置情報、姿勢情報などを撮影状態情報として用いてもよい。
【０１５０】
なお、本発明は、上記各実施形態に例示したものに限定されるものではなく、本発明の要旨を逸脱しない範囲において適宜変更可能である。
【０１５１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。ネットワーク又は各種記憶媒体を介して取得したソフトウェア（プログラム）をパーソナルコンピュータ（ＣＰＵ，プロセッサ）にて実行することでも実現できる。
【符号の説明】
【０１５２】
５０  システム制御部
１００  カメラ
１０３  撮像部
１０５  画像処理部
１１２  記録媒体
１２５  システムメモリ
１２６  通信部
２００  外部モニタ
３００  仮カラーグレーディング装置
３０３  画像処理部
３５０  システム制御部
【図１】
2014131189.tif 000003
【図２】
2014131189.tif 000004
【図３】
2014131189.tif 000005
【図４】
2014131189.tif 000006
【図５】
2014131189.tif 000007
【図６】
2014131189.tif 000008
【図７】
2014131189.tif 000009
【図８】
2014131189.tif 000010
【図９】
2014131189.tif 000011
【図１０】
2014131189.tif 000012
【図１１】
2014131189.tif 000013
【図１２】
2014131189.tif 000014
【図１３】
2014131189.tif 000015
【図１４】
2014131189.tif 000016
【図１５】
2014131189.tif 000017
【図１６】
2014131189.tif 000018
【図１７】
2014131189.tif 000019